(57)【要約】    【課題】  使用した後の持ち運びが楽であり、内容物のガサツキを抑え、そして、複数回のリサイクルが可能な強度を備えた通い箱を提供する。    【解決手段】  直方体の箱本体１１と、その箱本体の内部に挿入される支持体１２とからなる。支持体１２が閉鎖されたスリットを有する平面体から構成され、その平面体を、スリットを軸にして折り曲げて折曲体を形成し、その折曲体のスリットを広げることによって形成される環状のものであり、２個の折り重ね部２９と、スリットを広げることによって形成される開口部３０とを備えている。そして、折り重ね部２９を箱本体１１の対角するコーナーに当接するように支持体１２を箱内に配置した通い箱１０。【選択図】  図１
2006306469.tif 000002
【特許請求の範囲】
【請求項１】
直方体の箱本体と、その箱の内部に挿入される支持体とからなる通い箱であって、
前記支持体が、閉鎖されたスリットを有する平面体から構成され、その平面体を、スリットを軸にして折り曲げて折曲体を形成し、その折曲体のスリットを広げることによって形成される環状のものであり、２個の折り重ね部と、スリットを広げることによって形成される開口部とを備えている通い箱
【請求項２】
前記折り重ね部が対向する箱本体のコーナーに当接するように、そして、前記開口部周縁の少なくとも一部が箱本体の内側面に接するように前記支持体を箱本体内に配置している請求項１記載の通い箱。
【請求項３】
前記開口部周縁の４箇所が箱本体の４つの内側面とそれぞれ接している請求項２記載の通い箱。
【請求項４】
前記箱本体が、連続して連結している４つの長方形状の側面部と、それぞれの側面部の下辺で連結される４つの底面部と、それぞれの側面部の上辺で連結される４つの天面部とからなる展開面から構成され、前記側面部の両端を接着し、そして、それぞれの面の境界辺を折ることによって成形され、
一対の折り畳みコーナーと一対の拡げコーナーとを備え折り畳み自在である請求項１記載の通い箱。
【請求項５】
前記箱本体が、箱本体底面の折り畳みコーナーを共有する隣り合う底面部同士を接着し、その折り畳みコーナーを結ぶ対角線で折り畳まれるものであり、
前記底面部同士の接着部が、箱本体を形成したときの底面部の重なり部分であって、前記対角線と、箱本体の底面の外側に位置する底面部の外周との間の部位である請求項４記載の通い箱。
【請求項６】
前記展開面が複数の部分展開面を接着することによって形成されるものである請求項４記載の通い箱。
【請求項７】
前記支持体を構成する平面体は、長さが箱本体の展開面の長さの約半分、幅が箱本体の高さの約二倍の長方形であり、
前記スリットが平面体の中心に形成されている請求項４記載の通い箱。
【請求項８】
前記スリットが平面体の長さの７０〜９０％となるように形成されており、前記折り重ね部を対向する箱本体のコーナーに当接するように、そして、前記開口部周縁の４箇所が箱本体の４つの内側面とそれぞれ接するように支持体を箱本体内に配置している請求項７記載の通い箱。
【請求項９】
前記支持体の開口部が４角以上を有する多角形状ないし円状であり、折り畳み部以外の開口部の外角を箱本体の側面部と当接させるように支持体を箱内に設置する請求項１記載の通い箱。
【請求項１０】
前記支持体の開口部が六角形であり、前記折り重ね部を対向する箱本体のコーナーに当接するように支持体を箱本体内に配置している請求項８記載の通い箱。
【請求項１１】
直方体の内部に挿入される通い箱の支持体であって、高さが通い箱の高さと実質的に同じである環状の開口部と、その開口部に連結されている２個の基部とを備えている通い箱の支持体。
【請求項１２】
前記支持体が閉鎖されたスリットを有する平面体から構成され、その平面体を、スリットを軸にして折り曲げて折曲体を形成し、その折曲体のスリットを広げることによって形成される環状のものであり、
２個の折り重ね部と、スリットを拡げることによって形成される開口部とを備えている請求項１１記載の通い箱の支持体。
【請求項１３】
前記開口部が六角形を形成している請求項１２記載の通い箱の支持体。
【発明の詳細な説明】
【技術分野】
【０００１】
本発明は通い箱およびその通い箱に用いられる支持体に関する。
【背景技術】
【０００２】
【特許文献１】特開２０００−３３２０２８号公報
【０００３】
従来、電線、チューブ、グレージングチャンネル等を円状に巻いた巻物、多角形状の物体などを客先に納品し輸送するため、それらを収納する通い箱が用いられている。このような通い箱には、内容物を輸送した後、箱の形状のまま折り畳まないで送り返す通い箱と、平面に折り畳んで送り返す折畳式の通い箱とがあり、また一般的に使用時の箱の強度アップを目的として支持体が挿入されている。そして、内容物を輸送した後の使用限度を超えた通い箱については利用者によって廃棄することも考えられるが、環境意識が高まっている現在では、特に樹脂製の通い箱を使用する場合では、生産者の元に戻されることが一般となっている。
【０００４】
図９のように、折畳式でない通い箱１００は、直方体の箱本体１０１と、その箱本体のコーナーと当接するように設置される多角柱のコーナー部材１０２とから構成されている。このコーナー部材１０２は箱本体１０１のコーナーに設置することにより、内容物と通い箱の内面との隙間を無くし内容物のガサツキの防止すると同時に箱本体のリブとして通い箱自体の強度のアップに貢献するものである。ここでは箱本体１０１の４隅にコーナー部材１０２を設けており、八角形の収容スペースが形成されている。
しかし、内容物を取り出した後、コーナー部材１０２は箱本体１０１中において孤立するため、通い箱１００を送り返すとき箱本体１０１内においてガサツキ、箱本体１０１を傷つけることがある。また、内容物に応じてコーナー部材１０２の形状を変えて、内容物と箱本体との隙間を無くさなければならず、手間がかかる。
【０００５】
図１０ａに示すように、折畳式の通い箱１０５は、直方体の箱本体１０６と、箱本体の内面に沿って配置される平面状の支持体１０７とから構成されている。この支持体１０７も内容物のガサツキを防止し、箱本体を幾数段に重ね合わせても潰れないように箱本体のリブとして働くものである。特に、箱本体の強度はコーナー部が一番強くそれぞれの側面の中心付近に向かって弱くなるため、この支持体を用いることにより側面の中心付近にリブを形成させることができる。さらに支持体１０７は平面であるため、内容物を輸送後、通い箱１０５を送り返すときに、折り畳まれた箱本体１０６の間に支持体１０７を挟んで送り返すことができるものである（図１０ｄ参照）。
【０００６】
この箱本体１０６は、図１０ｂに示すように展開面１１１を折り曲げることによって形成される。展開面１１１は、連続して連結している４つの長方形状の側面部１０８と、それぞれの側面部の下辺で連結される４つの底面部１０９と、それぞれの側面部の上辺で連結される４つの天面部１１０とからなる。そして、この展開面１１１の側面部の両端を接着し、想像線で表したそれぞれの境界辺を折り曲げることによって箱本体１０６が成形される。ここで図１０ｃに示すように、箱本体１０６の底面は、４枚の底面部１０９が一部重なることによって閉じられている。このように構成されているため、底面部１０９を箱本体の内側から引き上げることにより、箱本体１０６は底面の対角線を軸に折り畳むことができる。
このような箱本体の一例として特許文献１にその折り畳みが容易であり、底面部同士の連結部分の強度を確保した箱本体が開示されている。
【０００７】
図１０ａの支持体１０７は、二枚の長方形状の平面体であり、長さが箱本体１０６の隣接する側面部を合わせた長さ（縦＋横の長さ）より短く、幅が箱の高さと実質的に同じである。そして、一方の支持体１０７を箱内で幅方向に立てて、箱本体１０６の拡げコーナーを共有する２つの側面部１０８の内面と接するように折り曲げて配置し、他方の支持体１０７を前記コーナーと対極するコーナーを共有する２つの側面部１０８の内面と接するように折り曲げて配置する。ここで支持体１０７の長さを箱本体１０６の隣接する側面部を合わせた長さ（縦＋横の長さ）より短くする必要がある。この長さより支持体の長さが大きくなると通い箱１０５を折り畳むとき、支持体１０７の全体を折り畳まれた箱本体１０６の間に挟むことができなくなるからである。
このように支持体１０７は側面部１０８に沿って通い箱１０５の補強リブを形成する。また、平面体の折り曲げ箇所を工夫することにより円、多角形等の様々な形状で収容される内容物の位置決めが容易であり、その内容物を動かないように支持することができる。
【０００８】
ここで、支持体１０７を箱本体１０８に配置する際、支持体１０７は箱本体１０６に固定しない。これは支持体１０７を箱本体１０６に接着等で固定すると箱本体１０６を折り畳みにくくなり、また、支持体１０７だけの交換ができなくなり、さらには、収容する物体の位置決めが困難になるためである。また、支持体１０７を側面部１０８の中心付近と接するように配置する。これによりリブ作用を最大限に高めることができるためである。
【０００９】
このように構成されているため通い箱１０５は、幾数段に重ねても潰れず、内容物のガサツキを防止する。また、内容物を輸送した後は、前述したように底面部１０９を箱本体１０６の内側から上に上げ、箱本体１０６をその対角線上に沿って折り畳んで平坦にして運ぶ。そして、このとき支持体１０７は、図１０ｃの想像線で示すように、畳まれた箱本体１０５の間に挟んで運ぶのである。
【発明の開示】
【発明が解決しようとする課題】
【００１０】
しかし、この支持体１０７は前述の理由により箱本体に接着されていないため、輸送途中の移動により壁面に張り付いてしまい、補強、ガサツキ防止などの本来の目的が果たせなくなるという問題がある。さらに、支持体の配置の仕方によっては十分な強度が得られないこともある。
また、利用者にとって通い箱１０５の重要性は、内容物の輸送が終了した時点でなくなっており、使用済の通い箱１０５に対する利用者の注意力は低い。そのため、生産者に戻ってくるときは支持体１０７の片方あるいは両方が紛失していることがある。
さらに、通い箱の支持体１０７は、内容物に応じて複数の折り目を形成して使用するため、一度使用するとその強度を失いがちであり、補強リブとしての作用および内容物の支持作用が弱まる。さらに、箱本体１０６自体も一度使用するとよれてしまい、一度使用した箱本体にはリブ作用の高い支持体が求められている。そのため、従来の通い箱１０５の再利用は多くても２あるいは３サイクルにとどまっていた。
【００１１】
本発明は、使用した後の持ち運びが楽であり、内容物のガサツキを抑え、そして、複数回のリサイクルが可能な強度を備えた通い箱を提供することを目的としている。
【課題を解決するための手段】
【００１２】
本発明の通い箱は、直方体の箱本体と、その箱の内部に挿入される支持体とからなる通い箱であって、前記支持体が、閉鎖されたスリットを有する平面体から構成され、その平面体を、スリットを軸にして折り曲げて折曲体を形成し、その折曲体のスリットを広げることによって形成される環状のものであり、２個の折り重ね部と、スリットを広げることによって形成される開口部とを備えていることを特徴としている（請求項１）。また、折り重ね部が対向する箱本体のコーナーに当接するように、そして、前記開口部周縁の少なくとも一部が箱本体の内側に接するように支持体を箱本体内に配置していることが好ましい（請求項２）。さらに、開口部周縁の４箇所が箱本体の４つの内側面とそれぞれ接していることが特に好ましい（請求項３）。
【００１３】
本発明の通い箱であって、箱本体が、連続して連結している４つの長方形状の側面部と、それぞれの側面部の下辺で連結される４つの底面部と、それぞれの側面部の上辺で連結される４つの天面部とからなる展開面から構成され、前記側面部の両端を接着し、そして、それぞれの面の境界辺を折ることによって成形され、一対の折り畳みコーナーと一対の拡げコーナーとを備え、折り畳みコーナーを結ぶ対角線を軸に折り畳み自在であることが好ましい（請求項４）。また、箱本体が、箱本体底面の折り畳みコーナーを共有する隣り合う底面部同士を接着し、その折り畳みコーナーを結ぶ対角線で折り畳まれるものであり、前記底面部同士の接着部が、箱本体を形成したときの底面部の重なり部分であって、前記対角線と、箱本体の底面の外側に位置する底面部の外周との間の部位であるものが好ましい（請求項５）。さらに、箱本体の展開面が複数の部分展開面を接着することによって形成されているものであってもよい（請求項６）。
【００１４】
また、本発明の折畳式の通い箱であって、支持体を構成する平面体は、長さが箱本体の展開面の長さの約半分、幅が箱本体の高さの約二倍の長方形であり、前記スリットが平面体の中心に形成されているものが好ましい（請求項７）。
また、前記スリットを平面体の長さの７０〜９０％となるように形成し、前記折り重ね部を対向する箱本体のコーナーに当接するように、そして、前記開口部周縁の４箇所が箱本体の４つの内側面とそれぞれ接するように支持体を箱本体内に配置しているものが好ましい（請求項８）。
【００１５】
また、本発明の通い箱であって、支持体の開口部が４角以上を有する多角形状ないし円状であり、折り畳み部以外の開口部の外角を箱本体の側面部と当接させるように支持体を箱内に設置するものが好ましい（請求項９）。その中でも前記支持体の開口部が六角形であり、前記折り重ね部を対向する箱本体のコーナーに当接するように支持体を箱本体内に配置したものが好ましい（請求項１０）。
【００１６】
本発明の通い箱の支持体は、直方体の内部に挿入される通い箱の支持体であって、高さが通い箱の高さと実質的に同じである環状の開口部と、その開口部に連結されている２個の基部とを備えていることを特徴としている（請求項１１）。また、前記支持体が閉鎖されたスリットを有する平面体から構成され、その平面体を、スリットを軸にして折り曲げて折曲体を形成し、その折曲体のスリットを広げることによって形成される環状のものであり、２個の折り重ね部と、スリットを拡げることによって形成される開口部とを備えているものが好ましい（請求項１２）。そして、開口部が六角形を形成していることがよい（請求項１３）。
【発明の効果】
【００１７】
本発明の通い箱は、直方体の箱本体の内部に挿入される支持体が、閉鎖されたスリットを有する平面体を、スリットを軸にして折り曲げて折曲体を形成し、その折曲体のスリットを広げることによって形成されるものであるため、一つの部品で構成されており紛失しにくく、その成形も容易である。
また、形成された支持体は、２個の折り曲げ部と開口部とを備えているため、折り重ね部を基部として箱本体内で環状の補強リブを形成する。基部として働く折り重ね部は平面体を折り曲げて厚みをもたせているため、その強度が特に高く、かつ、箱本体内でずれにくい。開口部は環状の補強リブを形成するため、箱本体の比較的弱い側面の中心付近を、支持体の配置位置に関係なく補強することができる。そのため、本発明の通い箱は多段に積み上げることができ、効率良く運搬操作業を行うことができる。さらに、一度使用しても支持体の開口部は環状に閉鎖しているため、支持体全体として幅方向によれを小さく抑えることができ、再利用に適している。
【００１８】
さらに支持体の環状の開口部は、通い箱に収容される内容物の形状にあわせて整えるだけで、支持体は内容物の緩衝材としての役割を果たし、内容物のガサツキを抑え、内容物を支持することができる。そのため、この支持体を備えた通い箱の運搬作業が容易である。また、支持体を箱本体に固定しないため、支持体だけの交換が可能である。
このような支持体を挿入する箱本体は、折り畳むことができなくてもよい。しかし、折り畳み可能な箱本体にこの支持体を挿入することにより、後述するように箱本体を折り畳んだ後の持ち運びが容易である（請求項１）。
【００１９】
このような通い箱であって、折り重ね部が対向する箱本体のコーナーに当接するように支持体を箱本体内に、そして、開口部周縁の少なくとも一部が箱本体の内側面に接するように配置している場合、内容物の有無に関わらず接着等の固定手段を用いなくても支持体は箱本体内を動かない。つまり、支持体が形成している補強リブは折り重ね部を軸としているため、輸送中であっても動きにくく、使用による劣化も小さい（請求項２）。さらに、開口部周縁の４箇所が箱本体の４つの内側面とそれぞれ接している場合、支持体は箱本体の全ての内側面によって支持され、輸送中におけるガサツキをさらに防止することができる（請求項３）。
【００２０】
この通い箱の箱本体が、連続して連結している４つの長方形状の側面部と、それぞれの側面部の下辺で連結される４つの底面部と、それぞれの側面部の上辺で連結される４つの天面部とからなる展開面から構成され、その側面部の両端を接着し、そして、それぞれの面の境界辺を折ることによって成形され、一対の折り畳みコーナーと一対の拡げコーナーとを備え折り畳み自在である場合、箱本体の底面を構成する底面部を上に持ち上げることにより箱本体の折り畳みコーナーを結ぶ対角線を中心に平坦に折り畳むことができる。このとき、支持体の開口部内に持ち上げた底面部を挿入するように折り畳むことにより、支持体も同時に折り畳むことができる。そして、折り畳まれた通い箱は、支持体のスリットに箱本体の底面部を挿入した形で支持体が底面部を挟み、さらにその支持体は箱本体の側面部によって挟まれ、支持体と箱本体とが軽い係合状態となる。そのため、輸送する場合でも支持体と箱本体とが分離して、損傷する危険性が小さい（請求項４）。
【００２１】
通い箱の箱本体が、箱本体底面の折り畳みコーナーを共有する隣り合う底面部同士を接着したものであり、前記底面部同士の接着部が、箱本体を形成したときの底面部の重なり部分であって、前記対角線と、箱本体の底面の外側に位置する底面部の外周との間の部位である場合、底面部を上に持ち上げるとき、接着されている２つ底面部の内面側の底面部に折り目をつけることなく折り畳むことができ、折り畳みによる箱本体の劣化を防ぐことができる（請求項５）。前記展開面が複数の部分展開面を接着することによって形成されている場合、一枚の大きな展開面を製造することなく、箱本体を製造することができるため大量生産に適している（請求項６）。
【００２２】
また、本発明の折畳式の通い箱であって、支持体を構成する平面体が、長さが箱本体の展開面の長さの約半分であり幅が箱本体の高さの約二倍である長方形であり、前記スリットが平面体の中心に形成されている場合、支持体と箱本体とが折り畳まれるときにきっちり係合し、それらの分離を一層防止する（請求項７）。
さらに、前記スリットが平面体の長さの７０〜９０％となるように形成されており、前記折り重ね部を対向する箱本体の内角に当接するように、そして、前記開口部周縁の４箇所が箱本体の４つの内側面とそれぞれ接するように支持体を箱本体内に配置している場合、支持体の強度を低下させることなく、バランス良く支持体を支持しつつ、開口部の面積を大きく取ることができるので、無駄の無い内容物の収容が可能となる（請求項８）。
【００２３】
また、通い箱の支持体の開口部が４角以上を有する多角形状ないし円状であり、折り畳み部以外の開口部の外角を箱本体の側面部と当接させるように支持体を箱内に設置する場合、支持体の開口部を箱本体の側面部によって支持することができる。そのため、内容物のずれを一層防止することができ、それによる箱本体の劣化を防止することができる（請求項９）。ここで開口部が形成する円状には楕円などの円の異形も含まれる。
また、支持体の開口部が六角形となるように形成し、折り重ね部を対向する箱本体のコーナーに当接するように支持体を箱本体内に設置する場合、箱本体の内側面はバランスよく六角形の支持体を支持するため、支持体のガサツキを一層防止することができる（請求項１０）。
【００２４】
本発明の通い箱の支持体は、直方体の内部に挿入されるものであり、高さが通い箱の高さと実質的に同じである環状の開口部と、その開口部に連結される２個の基部とを備えているため、２個の基部が箱本体の対向する内角に当接するように配置させることにより補強リブの作用を得ることができる。また、環状開口部を備えているため、内容物を容易に収容できる（請求項１１）。
このような支持体であって、閉鎖されたスリットを有する平面体から構成され、その平面体を、スリットを軸にして折り曲げて折曲体を形成し、その折曲体のスリットを広げることによって形成される環状のものであり、２個の折り重ね部と、スリットを拡げることによって形成される開口部とを備えている場合、通い箱に用いることによって上述した作用を得ることができる（請求項１２）。さらに、前記開口部が六角形を形成している場合、支持体の折り曲げ部が多くなりすぎず補強リブとしての作用効果を低下させることなく、通い箱内において特に丸い形状の内容物の保持に優れている（請求項１３）。
【発明を実施するための最良の形態】
【００２５】
次に本発明の通い箱を図面を用いて説明する。図１は本発明の通い箱の一実施形態を示す斜視図、図２ａは図１の通い箱に用いられる箱本体を示す展開図、図２ｂはその展開図から形成された箱本体を示す斜視図、図２ｃはその箱本体の一部を示す要部平面図、図３ａは図１の箱本体の蓋を閉じたときを示す斜視図、図３ｂ、図３ｃは箱本体の他の実施形態を示す斜視図、図４ａは図１の通い箱に用いられる支持体を構成する平面体を示す平面図、図４ｂはその平面体を折り曲げた折曲体を示す斜視図、図４ｃは支持体を示す斜視図、図５ａは本発明の通い箱に用いられる箱本体の他の実施形態を表す展開図、図５ｂはその箱本体を示す斜視図、図５ｃはその箱本体を折り畳んだ後の側面図、図６ａは本発明の通い箱の支持体の他の実施形態の平面体を示す平面図、図６ｂはその折曲体の側面図、図６ｃは支持体の斜視図、図７ａは本発明の通い箱の支持体のさらに他の実施形態の平面体を示す平面図、図７ｂはその折曲体の側面図、図７ｃは支持体の斜視図、図８ａ、ｂ、ｃはそれぞれ本発明の通い箱の支持体のさらに他の実施形態を示す斜視図である。
【００２６】
図１に示す通い箱１０は、直方体状の箱本体１１と、その箱本体に収容される環状ないし筒状の支持体１２とからなる。
【００２７】
この箱本体１１は、図２ａに示すように連続して連結している２つの長方形状の側面部１４と、それぞれの側面部の下辺で連結される２つの矩形状ないし台形状の底面部１５と、それぞれの上辺で連結される２つの長方形状の天面部１６とを備えた部分展開面１３を二枚組み合わせて構成している。そして、これら二枚一組の部分展開面１３の両端を互いに接着させ、それぞれの面の境界辺を折り曲げることによって形成される従来公知のものである（図２ｂ）。ここで符号１７はこれら部分展開面１３を連結するのりしろである。また、部分展開面１３の二枚を一体化させた展開面を用いてもよい（図１０ｂ）。また、この箱本体１１は、一対の折り畳みコーナー１１ａと、一対の拡げコーナー１１ｂとを備えて、一対の折り畳みコーナー１１ａを結ぶ対角線１９によって折り畳み自在である。
【００２８】
この箱本体１１では、折り曲げた４枚の底面部によって箱本体１１の底面は閉じられているが、折り畳みコーナー１１ａを共有する隣り合う底面部１５ａ、ｂの重なり部を２個所接着している。さらに、この接着部位２１は、両底面部１５ａ、ｂの重なり部であって、箱本体の対角線１９と、箱本体の底面の外側に位置する底面部１５ｂの外周２０（点線部）との間に囲まれた部位（斜線部）となる。
このような箱本体は、長さが３００ｍｍ〜９９９ｍｍ、幅が３００〜９９９ｍｍであるものがよい。長さおよび幅が３００ｍｍより小さい場合、支持体を設けなくても箱本体自体の持つ強度で十分荷重を支えることができ、長さおよび幅が１０００ｍｍ以上の大型の箱本体である場合、箱本体自体に圧縮強度を付加しないと内容物を納品して輸送することはできないからである。またこのような箱本体の材料としてはポリエチレン発泡シート、ポリプロピレン発泡シート、プラスチック段ボール、ポリエチレンシート（ボード）、ポリプロピレンシート（ボード）、ポリエチレンテレフタレート（ＰＥＴ）シート（ボード）を用いることが好ましい。
【００２９】
このように箱本体１１は構成されているため、底面部１５ａを箱本体の内側から引き上げることにより、箱本体１１は底面の対角線１９を軸として折り畳まれる。ここで、前述したように折り畳みコーナー１１ａを共有する隣り合う底面部１５ａ、ｂを接着部位２１において接着しているため、箱本体１１を折り畳むとき、接着されている底面部の内側に位置する底面部１５ａは折られることがない。そのため、箱本体１１の底面の強度を維持することができる。
【００３０】
またこの箱本体１１は、天面部１６を折り曲げて蓋１８を形成しても、その蓋１８が完全に閉じないように構成されている（図３ａ参照）。このように蓋１８を閉じたときに隙間１８ａが形成されるため、その隙間１８ａから手等をいれることにより蓋１８を容易に開くことができ、また、内容物の確認が容易である。しかし、図３ｂの箱本体１１ｃのように完全に蓋１８が閉じるようにしてもよい。また、本実施形態での箱本体はその平面図が正方形となるように構成されているが、図３ｃのように長方形の箱本体１１ｄとしても構わない。
【００３１】
支持体１２は、図４ａに示すように、中心部に長方形状のスリット２５が形成された長方形状の平面体２６から構成される。この平面体の長さは箱本体の展開面１３の長さと実質的に同じであり、その幅は箱本体の高さの約二倍である。この平面体２６を、スリット２５の両サイドを軸線２７ａ、ｂとして折り曲げて折曲体２８を形成し（図４ｂ参照）、さらに、折曲体２８のスリット２５によって形成される開口２５ａを六角形状に外側に広げて成形される。そして、この支持体１２は２個所の折り重ね部２９と、六角形状の開口部３０とを備えた筒状のものである（図４ｃ参照）。
【００３２】
この支持体の開口部を形成するスリットの長さは、内容物の大きさに応じて平面体の長さの１０〜９７％である。スリットの長さが平面体の長さの１０％未満である場合、充分な大きさの開口部が得られず、スリットの長さが平面体の長さの９７％より大きい場合、形成される折り重ね部に充分な強度を与えることができない。
そして、スリットの長さを平面体の長さの７０〜９５％、特に、７５〜９０％にする場合、平面体の長さを箱本体の展開面１３の長さ（全体の展開面の半分の長さ）と実質的に同じにし、多角形、円形、台形などに開口部を形成した状態で、開口部周縁の少なくとも４箇所を箱本体の展開面の４つの内側面にそれぞれ当接させることができ好ましい。
また、この支持体の開口部を形成するスリットの長さが、平面体の長さの７５〜９７％、特に８０〜９７％である場合、平面体の長さを箱本体の展開面１３の長さ（全体の展開面の半分の長さ）と実質的に同じにした状態で、開口部周縁の少なくとも４箇所を箱本体の４つの内側面にそれぞれ当接させることができ、かつ、折り重ね部を箱本体の対向する内角に当接させることができ好ましい。
【００３３】
スリットの幅は平面体の幅の０〜１３％である。幅を１３％以上とすると支持体の強度を十分に確保できなくなる。このようにスリットに幅を持たすことにより箱本体の底部１５を後述するように容易に挿入することができる。そのため、幅を挿入する底部程度に形成しておくのが好ましい。しかし支持体の製造工程において、スリット切り抜き工程を減らすことができるため、スリットの幅を０％としてもよい。
【００３４】
スリットの長さはなるべく大きい方が好ましく、それにより支持体１２を箱本体１１の内側面によって安定して支持し、かつ、開口部３０の面積を大きくとることができ、箱本体１１に収容する異形の内容物の量を最大限にすることができる。しかし、折り重ね部２９が補強リブの基部としての作用を奏するくらいの大きさを保つことが重要である。
【００３５】
このような支持体は、ポリエチレン発泡シート、ポリプロピレン発泡シート、プラスチック段ボール、ポリエチレンシート（ボード）、ポリプロピレンシート（ボード）、ポリエチレンテレフタレート（ＰＥＴ）シート（ボード）から構成されており、特に、合成樹脂を押し出し成形したプラスチック段ボール（プラダン）が好ましい。プラダンは間隔をあけた二枚の表層の間に多数の隔壁を有する押し出し成形品であり、隔壁の向きの強度が高い。そのため隔壁を支持体の平面体と平行に設けることにより、隔壁が箱本体に対して上下に延びるように配置され、補強リブとしての効果が高い。
【００３６】
このように構成された箱本体１１と支持体１２を用意し、支持体１２の一方の折り重ね部２９を箱本体１１の折り畳みコーナー１１ａに当接させ、他方の折り重ね部２９を箱本体１１の対角にあるもう一方の折り畳みコーナー１１ｂに当接させて支持体１２を箱本体１１に配置する（図１参照）。さらに、折り重ね部２９によって構成されている角以外の開口部の４つの外角３１を箱本体１１の４つの内側面にそれぞれ当接させ通い箱１０を形成する。
【００３７】
このように構成された通い箱１０は、箱本体の内面と当接している開口部３０が箱本体１１の内角に当接している折り重ね部２９を基部として通い箱１０の補強リブとして作用する。そして、箱本体の側面の中心付近が開口部３０によって補強されるため、この通い箱１０の上に重い物体を載せても潰れることはない。つまり、多段に積むことができ、その運搬作業の効率を高めることができる。
【００３８】
また、巻いた電線、巻いたチューブなど外形が箱本体の形状とは異なる形状を呈していても、支持体１２の開口部３０をその内容物の外形に合わせることができ、内容物のガサツキを抑えることができる。例えば六角形状の開口部３０を八角形にしたり、四角形にしたりすることによって内容物と開口部３０との間の隙間が小さくなるように開口部を調整する。また、折り重ね部２９がその開口部３０を支持しており、さらに開口部３０の外角３１が箱本体の内面に当接しているため、支持体を箱本体に接着等により固定しなくても支持体の動きを抑えることができ、その内容物の輸送中に内容物が動いて壊れたりすることがない。さらに、この折り重ね部２９は平面体を重ねたものであるため、その強度が強く、従来の支持体と異なり、使用による支持体１２の耐久性の低下が小さい。
さらに、この支持体１２は箱本体１１に固定しなくてもよいため、支持体１２がへたったり、損傷したときでも支持体１２のみの交換が可能であり、この通い箱１０はリサイクルに適している。
【００３９】
次に使用した後の通い箱１０の作用を述べる。この通い箱１０を片付けるとき、箱本体１１の内面の底面部１５（特に、図２ｂに示す底面部１５ａ）を持ち上げることにより通い箱１０を折り畳みコーナー１１ａを結ぶ対角線を軸に平坦に折り畳むことができる。このとき支持体１２の開口部３０またはスリット２５に持ち上げた底面部１５を挿入して折り畳む。つまり、通い箱１０を折り畳んだとき、支持体１２の開口部３０も一緒に閉じるように折り畳む。これにより折り畳まれた支持体の開口部３０（スリット２５）に箱本体１１の底面部１５が挿入され、支持体１２が箱本体の底面部１５を挟むように折り畳まれ、さらにその支持体１２は箱本体の側面部１４によって挟まれるように折り畳まれ、支持体１２と箱本体１１が軽い係合状態となるように折り畳まれる。そのため、折り畳んだ通い箱１０を輸送しても、その途中に支持体１２が箱本体１１から分離することがない。
【００４０】
このように本発明の通い箱は、箱本体の外形と異なる外形を有する内容物を容易に収容することができ、それを輸送しても内容物をしっかり支持することができ、内容物を劣化しない。また、強度が高いため、幾段に重ねても潰れにくい。さらに、内容物を取り出した後は、容易に片付けることができ、その輸送が容易であり、再利用に適している。
【００４１】
図５ａに示す箱本体３５の展開面３６は、部分展開面３６ａと部分展開面３６ｂをのりしろ３７ｃで連結させてものであり、４つの底面部３７ａ、３７ｂ、３７ｃ、３７ｄのうち、一つの底面部３７ｄの面積を大きくしたものである。そして、この展開図３６を折り畳んでいく際、この底面部３７ｄを箱本体３５の最内部になるように折り畳むものである（図５ｂ参照）。このように底面部３７ｄの面積を大きくすることにより、使用時に底抜けがしにくく、底面部３７ｄはつかみやすいため使用済みの箱本体３５を容易に折り畳むことができる（図５ｃ参照）。ここで底面部３７の先端３７ｅが斜めに切り落とされているが、この箱本体３５を底面部３７ｄを持ち上げて畳むとき、ひろげられた支持体と交差しないように考慮したものであり、支持体の折り重ね部をこの斜辺と対向するコーナー部３７ｆに配置することにより通い箱の折り畳みがスムースになる。また、符号３５ａと符号３５ｂは底面部同士を連結するのりしろであり、それぞれ底面部３７ｂ、３７ｄの背面（外部側）に接着される。これにより底抜けを防止する。
【００４２】
図６ｃに示す支持体３８は、平面体３８ａにスリット３９をＨ字状に設けて形成したものである（図６ａ参照）。つまり、スリットの幅を平面体の幅の０％とした支持体である。この支持体３８はスリットの切り落とし工程を介することなく支持体の平面体３８ａに刃を入れるだけで製造できるため好ましい。この平面体３８ａを、スリットを軸に折り曲げ折曲体３９ａを形成し、そのスリットを拡げることにより支持体３８は製造される（図６ｂ参照）。ここで折り重ね部３８ｃの高さと開口部周縁３８ｂの高さが異なるが、開口部周縁３８ｂの高さが箱本体の高さと同じであれば、通い箱に充分な強度を与えることができる。しかし、開口部周縁の上端３８ｄを折り曲げて開口部周縁３８ｂの高さと折り重ね部３８ｂの高さを同じにしてもよい。
【００４３】
図７ａに示す支持体４０は、平行四辺形状の平面体４１と、その中心にその短辺と垂直となるように形成された長方形状のスリット４２とから構成されている。この平面体４１を前述したようにスリット４２の両サイドを軸として折り曲げて折曲体４２ａを形成し（図５ｂ参照）、その折曲体を広げることによって形成される（図５ｃ参照）。このものはリブとしての効果は前述の支持体１２より小さいが、内容物の支持体としての効果は同様に得ることができる。
【００４４】
これまでの実施形態ではスリットを六角形状に広げた支持体を開示しているが、図８に示す支持体４５、４６、４７は四角形状、楕円状、円形状に開口部を形成したものである。この開口部の形は特に限定されるものではない。そして、支持体を、その折り重ね部が箱本体の折り畳みコーナーに位置するように配置する以外は、特にその配置場所が限定されるものではない。このように支持体の折り重ね部を箱本体の対角する折り畳みコーナーに配置することにより、通い箱のリブとしての作用を奏する。そして、この折り重ね部がこの折り畳みコーナーに固定されているため、内容物の支持も可能となる。ここで開口部の外角４８、あるいは開口部外周の一部が箱本体の内側面と当接している方が箱本体からの支持も受けることができ好ましい。これらの支持体４５、４６、４７は前述の開口部が六角形状に形成された支持体１２と比べて、開口部の外角による側面の支持が得られない分、箱本体の外形と異なる外形を有する内容物の支持力は小さい。
【００４５】
前記実施形態では、支持体は一枚の平面体を折り曲げて形成しているが、２枚の平面体を重ねて端部同士を接合して構成してもよい。
【００４６】
［実施例１］
厚さが３ｍｍの低発泡ポリプロピレンシートを用意し、幅５３ｃｍ、長さ５３．３ｃｍ、高さ１６．７ｃｍとなるように箱本体１１を作製した。また、厚さが５ｍｍのポリプロピレン製のプラダンシートを用意し、幅３３．２ｃｍ、長さ１０２．３ｃｍとなるように切断し、このプラダンシートの中心に幅１．４ｃｍ、長さ９０．３ｃｍとなるスリットを形成させて、支持体１２を作製した。この支持体１２の開口部が六角形となるように支持体１２を折り曲げ、箱本体１１に挿入した（図１）。この通い箱を実施例１とする。
［比較例１］
厚さが３ｍｍの低発泡ポリプロピレンシートを用意し、幅５３ｃｍ、長さ５３．３ｃｍ、高さ１６．４ｃｍとなるように箱本体を作製した。これを比較例１とする。
【００４７】
この実施例１および比較例１の圧縮試験を行い、その破壊荷重を測定した。その結果を表１に示す。この圧縮試験は日本工業規格（ＪＩＳ）に規定されている包装貨物および容器の圧縮試験方法（ＪＩＳ  Ｚ０２１２（１９９８））を用いた。
【００４８】
【表１】
2006306469.tif 000003
【００４９】
表１に示すように、支持体１２を挿入した実施例１の方が支持体１２を挿入しない比較例１より５倍弱の耐圧性を示すことがわかる。
【図面の簡単な説明】
【００５０】
【図１】本発明の通い箱の一実施形態を示す斜視図である。
【図２】図２ａは図１の通い箱に用いられる箱本体を示す展開図であり、図２ｂはその展開図から形成された箱本体を示す斜視図であり、図２ｃはその箱本体の一部を示す一部平面図である。
【図３】図３ａは図１の箱本体の蓋を閉じたときを示す斜視図であり、図３ｂ、図３ｃは箱本体の他の実施形態を示す斜視図である。
【図４】図４ａは図１の通い箱に用いられる支持体を構成する平面体を示す平面図であり、図４ｂはその平面体を折り曲げた折曲体を示す斜視図であり、図４ｃは支持体を示す斜視図である。
【図５】図５ａは本発明の通い箱に用いられる箱本体の他の実施形態を表す展開図であり、図５ｂはその箱本体を示す斜視図であり、図５ｃはその箱本体を折り畳んだ後の側面図である。
【図６】図６ａは本発明の通い箱の支持体の他の実施形態の平面体を示す平面図であり、図６ｂはその折曲体の側面図であり、図６ｃは支持体の斜視図である。
【図７】図７ａは本発明の通い箱の支持体のさらに他の実施形態の平面体を示す平面図であり、図７ｂはその折曲体の側面図であり、図７ｃは支持体の斜視図である。
【図８】図８ａ、ｂ、ｃはそれぞれ本発明の通い箱の支持体のさらに他の実施形態を示す斜視図である。
【図９】図９は従来公知の通い箱を示す斜視図である。
【図１０】図１０ａは従来公知の通い箱を示す斜視図であり、図１０ｂはその展開図であり、図１０ｃはその箱本体を示す斜視図であり、図１０ｄはその箱本体を折り畳んだ後の側面図である。
【符号の説明】
【００５１】
１０  通い箱
１１  箱本体
１１ａ  折り畳みコーナー
１１ｂ  拡げコーナー
１１ｃ、１１ｄ  箱本体
１２  支持体
１３  部分展開面
１４  側面部
１５、１５ａ、１５ｂ  底面部
１６  天面部
１７  のりしろ
１８  蓋
１８ａ  隙間
１９  対角線
２０  底面部の外周
２１  接着部
２５  スリット
２５ａ  開口
２６  平面体
２７  軸線
２８  折り曲げ体
２９  折り重ね部
３０  開口部
３１  開口部の外角
３５  箱本体
３５ａ、３５ｂ  のりしろ
３６  展開面
３６ａ、３６ｂ  部分展開面
３６ｃ  のりしろ
３７ａ、３７ｂ、３７ｃ、３７ｄ  底面部
３７ｅ  先端
３７ｆ  コーナー部
３８  支持体
３８ａ  平面体
３８ｂ  開口部周縁
３８ｃ  折り重ね部
３８ｄ  開口部周縁の上端
３９  スリット
３９ａ  折曲体
４０  支持体
４１  平面体
４２  スリット
４２ａ  折曲体
４５  支持体
４６  支持体
４７  支持体
４８  外角
１００  通い箱
１０１  箱本体
１０２  コーナー部材
１０５  通い箱
１０６  箱本体
１０７  支持体
１０８  側面部
１０９  底面部
１１０  天面部
１１１  展開面
【図１】
2006306469.tif 000004
【図２】
2006306469.tif 000005
【図３】
2006306469.tif 000006
【図４】
2006306469.tif 000007
【図５】
2006306469.tif 000008
【図６】
2006306469.tif 000009
【図７】
2006306469.tif 000010
【図８】
2006306469.tif 000011
【図９】
2006306469.tif 000012
【図１０】
2006306469.tif 000013